(57)【要約】【課題】電子時計を見るタイミングが幾つかの特定の時刻や時間帯に集中していても、時刻の視認性を損なうことなく、スクロール表示される画像のうち様々な部分をユーザーが見れるようにする。【解決手段】電子時計１は、表示部８０と、時刻を計時する計時部６６と、背景画像を記憶する記憶部７２と、計時部６６の計時時刻を表示部８０に表示させると共に、表示部８０に背景画像をスクロール表示させる制御部５０と、物理量を計測する計測部１０とを備え、制御部５０は、背景画像のスクロール表示を更新する場合に、計測部１０の計測値を用いて背景画像のスクロール速度を決定する。【選択図】図２
2017075817.tif 000002
【特許請求の範囲】
【請求項１】
表示部と、
時刻を計時する計時部と、
背景画像を記憶する記憶部と、
前記計時部の計時時刻を前記表示部に表示させると共に、前記表示部に前記背景画像をスクロール表示させる制御部と、
物理量を計測する計測部と、を備え、
前記制御部は、前記背景画像のスクロール表示を更新する場合に、前記計測部の計測値を用いて前記背景画像のスクロール速度を決定する
ことを特徴とする電子時計。
【請求項２】
時刻情報を取得する取得部と、
前記取得部が取得した時刻情報に基づいて前記計時部の計時時刻を修正する時刻修正部と、を備え、
前記制御部は、前記背景画像のスクロール表示を更新する場合に、前記取得部が前記時刻情報の取得に成功したか否かと、前記計測部の計測値とを用いて前記背景画像のスクロール速度を決定する
ことを特徴とする請求項１に記載の電子時計。
【請求項３】
前記物理量は、温度、湿度、気圧、水圧、高度、照度、加速度のいずれかである
ことを特徴とする請求項１または２に記載の電子時計。
【請求項４】
前記物理量は、ユーザーの生体情報である
ことを特徴とする請求項１または２に記載の電子時計。
【請求項５】
一次電池または二次電池を備え、
前記物理量は、前記一次電池または前記二次電池の電池電圧である
ことを特徴とする請求項１または２に記載の電子時計。
【請求項６】
前記計測部を複数備え、
前記複数の計測部の各々は、計測する物理量の種類が異なり、
前記制御部は、前記背景画像のスクロール表示を更新する場合に、前記複数の計測部の各々の計測値を用いて前記背景画像のスクロール速度を決定する
ことを特徴とする請求項１に記載の電子時計。
【請求項７】
時刻を計時して表示部に表示すると共に前記表示部に背景画像をスクロール表示する電子時計の表示制御方法であって、前記背景画像のスクロール表示を更新する場合に、
物理量の計測値を用いて前記背景画像のスクロール速度を決定し、
前記決定したスクロール速度で前記背景画像をスクロール表示する
ことを特徴とする電子時計の表示制御方法。
【発明の詳細な説明】
【技術分野】
【０００１】
本発明は、電子時計および電子時計の表示制御方法に関する。
【背景技術】
【０００２】
特許文献１には、絵巻画像を１日周期でスクロール表示させる電子時計が記載されている（段落００９０〜段落００９１）。また、特許文献２には、センサーにより検出された物理的状態の変化に対応して、時刻表示の字をスピーディにスクロールさせたり、ゆっくりとスクロールさせるデジタル時計が記載されている（段落００２３，段落００３０）。
【先行技術文献】
【特許文献】
【０００３】
【特許文献１】特開２０１５−１３７９３９号公報
【特許文献２】特開２００１−１５３９８１号公報
【発明の概要】
【発明が解決しようとする課題】
【０００４】
例えば、会社員が時計をよく見る時刻や時間帯は、通勤時間内、始業時間の前後、休み時間内、終業時間の前後である。このように日常生活の中で時計を見るタイミングは、その人の生活スタイルに応じて幾つかの特定の時刻や時間帯に集中する傾向がある。特許文献１では、絵巻画像を１日周期でスクロール表示させており、毎日、同じ時刻には絵巻画像のうち同じ部分が表示される。したがって、時計を見るタイミングが幾つかの特定の時刻や時間帯に集中していると、ユーザーは、絵巻画像のうち幾つかの特定の部分ばかりを頻繁に見ることになるので、電子時計の表示に飽きてしまう。また、特許文献２には、センサーの検出値に応じてスクロール速度を変えることが開示されているが、スクロールの対象が時刻表示の字そのものであるため、同文献２の図６や図７からも明らかとなるように、時刻が視認しづらくなり、時刻を知らせるという時計として最も重要な機能が損なわれてしまう。
【０００５】
本発明は、上述した事情に鑑みてなされたものであり、電子時計を見るタイミングが幾つかの特定の時刻や時間帯に集中していても、時刻の視認性を損なうことなく、スクロール表示される画像のうち様々な部分をユーザーが見れるようにすることを目的とする。
【課題を解決するための手段】
【０００６】
以上の課題を解決するために、本発明に係る電子時計は、表示部と、時刻を計時する計時部と、背景画像を記憶する記憶部と、前記計時部の計時時刻を前記表示部に表示させると共に、前記表示部に前記背景画像をスクロール表示させる制御部と、物理量を計測する計測部と、を備え、前記制御部は、前記背景画像のスクロール表示を更新する場合に、前記計測部の計測値を用いて前記背景画像のスクロール速度を決定することを特徴とする。
【０００７】
この構成によれば、表示部には、計時時刻が表示されると共に背景画像がスクロール表示される。また、制御部は、背景画像のスクロール表示を更新する場合に、計測部の計測値を用いて背景画像のスクロール速度を決定する。したがって、背景画像のスクロール表示を更新する都度、計測部の計測値に応じて背景画像のスクロール速度を変化させることが可能になる。このように背景画像のスクロール速度を変化させることで、毎日、同じ時刻であっても、背景画像のうち表示部に表示される部分は、特定の一部に固定されることなく様々に変化する。また、スクロール表示の対象は背景画像であるので、表示部に表示される計時時刻の視認性が損なわれてしまうこともない。したがって、電子時計を見るタイミングが幾つかの特定の時刻や時間帯に集中していても、時刻の視認性を損なうことなく、スクロール表示される画像のうち様々な部分をユーザーが見れるようにすることができる。
【０００８】
また、上述した電子時計において、時刻情報を取得する取得部と、前記取得部が取得した時刻情報に基づいて前記計時部の計時時刻を修正する時刻修正部と、を備え、前記制御部は、前記背景画像のスクロール表示を更新する場合に、前記取得部が前記時刻情報の取得に成功したか否かと、前記計測部の計測値とを用いて前記背景画像のスクロール速度を決定する構成であってもよい。この場合、背景画像のスクロール表示を更新する都度、計測部の計測値だけでなく時刻情報の取得の成否を用いて背景画像のスクロール速度が決定される。したがって、計測部の計測値だけを用いて背景画像のスクロール速度を決定する場合に比べ、背景画像のスクロール速度をよりランダムに変化させることができるので、電子時計を見るタイミングが幾つかの特定の時刻や時間帯に集中していても、スクロール表示される背景画像のうち、より多くの異なる部分をユーザーが見れるようにすることができる。
【０００９】
また、上述した電子時計において、前記物理量は、温度、湿度、気圧、水圧、高度、照度、加速度のいずれかであってもよい。この場合、背景画像のスクロール表示を更新する都度、温度、湿度、気圧、水圧、高度、照度、加速度のいずれかの計測値に応じて背景画像のスクロール速度を変化させることが可能になる。
【００１０】
また、上述した電子時計において、前記物理量は、ユーザーの生体情報であってもよい。この場合、背景画像のスクロール表示を更新する都度、生体情報の計測値に応じて背景画像のスクロール速度を変化させることが可能になる。なお、生体情報には、例えば脈拍や体温が含まれる。
【００１１】
また、上述した電子時計において、一次電池または二次電池を備え、前記物理量は、前記一次電池または前記二次電池の電池電圧であってもよい。この場合、背景画像のスクロール表示を更新する都度、電池電圧の計測値に応じて背景画像のスクロール速度を変化させることが可能になる。
【００１２】
また、上述した電子時計において、前記計測部を複数備え、前記複数の計測部の各々は、計測する物理量の種類が異なり、前記制御部は、前記背景画像のスクロール表示を更新する場合に、前記複数の計測部の各々の計測値を用いて前記背景画像のスクロール速度を決定する構成であってもよい。この場合、背景画像のスクロール表示を更新する都度、種類が異なる複数の物理量の計測値を用いて背景画像のスクロール速度が決定される。したがって、１種類の物理量の計測値を用いて背景画像のスクロール速度を決定する場合に比べ、背景画像のスクロール速度をよりランダムに変化させることができるので、電子時計を見るタイミングが幾つかの特定の時刻や時間帯に集中していても、スクロール表示される背景画像のうち、より多くの異なる部分をユーザーが見れるようにすることができる。
【００１３】
また、本発明に係る電子時計の表示制御方法は、時刻を計時して表示部に表示すると共に前記表示部に背景画像をスクロール表示する電子時計の表示制御方法であって、前記背景画像のスクロール表示を更新する場合に、物理量の計測値を用いて前記背景画像のスクロール速度を決定し、前記決定したスクロール速度で前記背景画像をスクロール表示することを特徴とする。この発明によれば、上述した電子時計の発明と同様の作用効果を奏する。
【図面の簡単な説明】
【００１４】
【図１】第１実施形態に係る電子時計の外観構成を示す平面図である。
【図２】電子時計の内部構成を示すブロック図である。
【図３】絵巻画像の一例を示す図である。
【図４】絵巻画像のスクロール表示を説明するための模式図である。
【図５】表示モードが絵巻モードの場合の画面表示例である。
【図６】絵巻表示処理のフローチャートである。
【図７】絵巻画像のスクロール表示の一例（温度が１８℃の場合）を示す図である。
【図８】絵巻画像のスクロール表示の一例（温度が３４℃の場合）を示す図である。
【図９】絵巻画像のスクロール表示の一例（温度が変化した場合）を示す図である。
【図１０】第２実施形態に係る電子時計の内部構成を示すブロック図である。
【発明を実施するための形態】
【００１５】
以下、図面を参照して本発明に係る実施の形態を説明する。
＜第１実施形態＞
図１は、第１実施形態に係る電子時計１の外観構成を示す平面図である。
同図に示す電子時計１は、デジタル式の腕時計であり、金属等の導電性材料またはセラミック等の非導電性材料で形成された外装ケース５を備える。外装ケース５の正面には矩形状の開口部５Ａが形成され、この開口部５Ａの内側に表示部８０が設けられている。表示部８０には、例えば図１に示すように、電子時計１で計時されている計時時刻が表示される。外装ケース５のうち図中左右方向の側面には、操作ボタン６Ａ，６Ｂが設けられている。ユーザーは、操作ボタン６Ａ，６Ｂを操作することで、電子時計１の表示モードや動作モード等を変更することができる。また、外装ケース５のうち図中上下方向の側面には、ベルト取付部７を介してベルト８が取り付けられている。このベルト８により電子時計１がユーザーの手首に装着される。なお、図１ではベルト８の一部の図示を省略している。
【００１６】
図２は、電子時計１の内部構成を示すブロック図である。
電子時計１は、操作ボタン６Ａ，６Ｂと、温度センサー１０と、発振回路２０と、分周回路３０と、電源部４０と、制御部５０（主制御部６０および表示制御部７０）と、表示部８０とを備える。操作ボタン６Ａ，６Ｂは、操作信号を主制御部６０に出力する。温度センサー１０は、物理量を計測する計測部の一例であり、主制御部６０の制御の下、電子時計１の周囲の温度を計測して主制御部６０に出力する。なお、温度センサー１０は、電子時計１の内部の温度を計測してもよい。
【００１７】
発振回路２０は、水晶振動子を備え、例えば３２７６８ＫＨｚのパルス信号を出力する。分周回路３０は、発振回路２０から出力されるパルス信号を分周し、例えば１Ｈｚの基準クロック信号を出力する。電源部４０は、例えば一次電池を備え、主制御部６０の制御の下、電子時計１の各部に駆動電力を供給する。なお、電源部４０は、一次電池の代わりに二次電池を備えてもよい。この場合、電子時計１は、ソーラーパネルを更に備え、ソーラーパネルが発電した電力で二次電池を充電してもよい。
【００１８】
制御部５０は、電子時計１の全体を制御する主制御部６０と、表示部８０を制御する表示制御部７０とで構成されている。主制御部６０は、ＲＯＭ６２（Read Only Memory）と、ＲＡＭ６４（Random Access Memory）と、計時部６６とを有する。ＲＯＭ６２は、例えば書き換え可能なフラッシュＲＯＭであり、主制御部６０によって実行されるプログラム等が記憶されている。このＲＯＭ６２に記憶されているプログラムには、例えば、後述する絵巻表示処理のプログラムが含まれる。ＲＡＭ６４は、主制御部６０の作業領域として使用される。計時部６６は、分周回路３０から出力される基準クロック信号をカウントし、例えば、年，月，日，時，分，秒からなる時刻を計時する。なお、図２には、主制御部６０の内部に計時部６６を設けた構成を例示したが、計時部６６は、主制御部６０や制御部５０の外部に設けられていてもよい。
【００１９】
表示制御部７０は、ＲＯＭ７２と、ＶＲＡＭ（Video RAM）７４とを有する。ＲＯＭ７２は、背景画像を記憶する記憶部の一例であり、例えば書き換え可能なフラッシュＲＯＭである。このＲＯＭ７２には、後述する絵巻画像（背景画像）の画像データーの他に、時刻表示用の数字や記号等の画像データー、表示制御部７０によって実行されるプログラム等が記憶されている。ＶＲＡＭ７４には、表示部８０に表示する１画面分の画像データーが書き込まれる。表示制御部７０は、主制御部６０からの指示に基づいて表示部８０を制御し、計時時刻の表示や絵巻画像のスクロール表示を行う。
【００２０】
表示部８０は、例えば、アクティブマトリックス方式を採用した白黒２値表示のＥＰＤ（Electrophoretic Display）パネルであり、文字，数字，模様，写真，イラスト等の様々な画像を表示することができる。なお、図２には、制御部５０を主制御部６０と表示制御部７０とに分けた構成を例示したが、これに限られるものではない。例えば、制御部５０は、主制御部６０と表示制御部７０の機能を兼ね備えた１つの制御部であってもよい。
【００２１】
図３は、絵巻画像１００の一例を示す図である。
同図に示す絵巻画像１００は、アフリカのサバンナをイメージした画像であり、ゾウやキリン等の様々な動物が描かれている。また、図中破線で示す矩形状の部分が表示部８０の表示領域８０Ａのサイズである。絵巻画像１００は、Ｘ方向の表示サイズが表示領域８０ＡのＸ方向のサイズより大きい長尺状（横長）の画像である。なお、絵巻画像１００のＹ方向の表示サイズは、表示領域８０ＡのＹ方向のサイズと同じである。絵巻画像１００は、例えば図中矢印で示す方向にスクロール表示され、右端まで表示されると引き続いて左端から繰り返しスクロール表示される。このように絵巻画像１００のうち表示領域８０Ａに表示される部分は、時間の経過に応じて絵巻画像１００の長手方向に沿って順次移動していく。
【００２２】
図４は、絵巻画像１００のスクロール表示を説明するための模式図である。
同図に示すように絵巻画像１００は、Ｘ方向に均等の幅で分割された短冊状の分割画像１５０１，１５０２，１５０３，…により構成されている。本明細書では、特に区別をする必要がない限り、分割画像１５０１，１５０２，１５０３，…の各々を「分割画像１５０」と記載する。また、同図に示す例の場合、表示領域８０Ａのサイズは、分割画像１５０をＸ方向に４個並べた大きさに相当する。したがって、絵巻画像１００を構成する全ての分割画像１５０のうち、一度に表示領域８０Ａに表示できるのは、Ｘ方向に連続する４個の分割画像１５０になる。
【００２３】
例えば、絵巻画像１００を１５分に１コマの割合でスクロール表示する場合（１コマ＝１分割画像１５０）、同図に示すように表示領域８０Ａに４個の分割画像１５０３〜１５０６を表示してから１５分が経過すると、表示領域８０Ａには、次の表示画像として４個の分割画像１５０４〜１５０７が表示される。より具体的に説明すると、表示領域８０Ａのうち左端に表示されていた分割画像１５０３は消去され、この部分に今まで右隣に表示されていた分割画像１５０４が表示される。また、分割画像１５０４が表示されていた部分には、今まで右隣に表示されていた分割画像１５０５が表示され、分割画像１５０５が表示されていた部分には、今まで右隣に表示されていた分割画像１５０６が表示される。また、表示領域８０Ａのうち右端に表示されていた分割画像１５０６の部分には、今まで表示されていなかった右隣の分割画像１５０７が表示される。
【００２４】
このように絵巻画像１００を１５分に１コマの割合で左方向にスクロール表示する場合、１５分が経過する都度、表示領域８０Ａに表示される４個の分割画像１５０が図中左側に１個ずつシフトする。なお、分割画像１５０のＸ方向の幅を小さくし、例えば分割画像１５０をＸ方向に１０個並べた大きさが表示領域８０Ａのサイズになるようにしてもよい。
【００２５】
図５は、表示モードが絵巻モードの場合の画面表示例である。
電子時計１は、表示モードとして、例えばシンプルモードと絵巻モードとを有する。シンプルモードは、図１に示したように計時時刻のみを表示するモードである。一方、絵巻モードは、図５に示すように、表示領域８０Ａのうち右上の部分に計時時刻を表示しつつ、その背景画像として絵巻画像１００をスクロール表示するモードである。なお、絵巻モードにおいて、絵巻画像１００はスクロール表示されるが、計時時刻は常に同じ位置に表示される。ユーザーは、操作ボタン６Ａ，６Ｂを操作することで、表示モードをシンプルモードや絵巻モードに変更することができる。
【００２６】
また、絵巻モードにおいて、計時時刻の表示は、例えば１分間隔で更新されるのに対し、絵巻画像１００のスクロール表示は、それよりも長い時間間隔（例えば１５分）で更新される。このため表示制御部７０は、絵巻モードの場合、例えば２層のレイヤー構造を用いて表示画像を生成する。２層のレイヤーのうち、前面に位置する第１レイヤーを時刻表示用のレイヤーとして定義し、後面に位置する第２レイヤーを背景画像用のレイヤーとして定義した場合、計時時刻を示す数字や記号の画像は第１レイヤーの画像になり、絵巻画像１００は第２レイヤーの画像になる。表示制御部７０は、レイヤー毎に個別に画像を編集することが可能であり、第１レイヤーの画像と第２レイヤーの画像とを重ねて合わせて１画面分の表示画像を生成し、ＶＲＡＭ７４に書き込む。なお、絵巻モードにおいて表示画像を生成する方法は、２層のレイヤー構造を用いた方法に限らない。また、表示モードは絵巻モードのみであってもよい。
【００２７】
また、表示部８０（白黒２値表示のＥＰＤパネル）は、計時時刻の表示を更新する場合や、絵巻画像１００のスクロール表示を更新する場合等、表示画像を更新する場合に、まず、更新前の元の表示画像のうち、黒色の画素には電圧を印加せず（０Ｖを印加し）、白色の画素のみに負（または正）の電圧を印加する部分駆動方式を用いて全面黒色の表示画像を表示領域８０Ａに表示した後、さらに全画素に負（または正）の電圧を印加する全面駆動方式を用いて全面黒色の表示画像を表示領域８０Ａに再表示する。
【００２８】
次に、表示部８０は、全画素に正（または負）の電圧を印加する全面駆動方式を用いて全面白色の表示画像を表示領域８０Ａに表示した後、さらに元の表示画像において白色だった画素には電圧を印加せず（０Ｖを印加し）、元の表示画像において黒色だった画素のみに正（または負）の電圧を印加する部分駆動方式を用いて全面白色の表示画像を表示領域８０Ａに再表示する。この後、表示部８０は、次の表示画像を、白色の画素には電圧を印加せず（０Ｖを印加し）、黒色の画素のみに負（または正）の電圧を印加する部分駆動方式を用いて表示領域８０Ａに表示する。
【００２９】
このように表示部８０は、表示画像を更新する場合に、部分駆動方式と全面駆動方式を用いて全面黒色の表示画像を表示し、さらに全面駆動方式と部分駆動方式を用いて全面白色の表示画像を表示して元の表示画像を消去した後、部分駆動方式を用いて次の表示画像を表示する。したがって、全画素が白色の状態から次の表示画像を表示することができるので、表示画像毎に色合いが変わるといった問題が生じにくい。また、表示部８０（ＥＰＤパネル）の各画素電極と共通電極との間に印加される電界の時間平均がほぼゼロになりＤＣバランスがとれるため、ＥＰＤパネルの長期信頼性を高めることができる。
【００３０】
このように電子時計１では、表示画像の更新時に短時間ではあるが全面黒色の表示画像や全面白色の表示画像が表示される。つまり、絵巻画像１００のスクロール表示を更新する都度、短時間ではあるが全面黒色の表示画像や全面白色の表示画像が表示される。また、前述したように電子時計１では、スクロール表示の更新間隔が例えば１５分等、比較的長い時間間隔であることに加え、一回の更新でスクロールされる量も表示領域８０Ａの１／４に及ぶ等、比較的大きいので、なめらかなスクロール表示ではない。しかしながら、時間の経過に応じて表示する部分を移動させながら絵巻画像１００を表示していることに変わりはないので、スクロール表示の概念に含まれる。
【００３１】
図６は、絵巻表示処理のフローチャートである。
同図に示す絵巻表示処理は、絵巻画像１００のスクロール表示を制御するための処理であり、表示モードが絵巻モードの場合に主制御部６０により実行される。絵巻表示処理を開始すると、主制御部６０は、温度センサー１０を制御して電子時計１の周囲の温度を計測する（Ｓ１０１）。次に、主制御部６０は、スクロール表示の更新タイミングであるか否かを判定する（Ｓ１０２）。例えば、スクロール表示の更新間隔が固定値で１５分であった場合、主制御部６０は、前回の更新タイミングから１５分が経過した場合に、スクロール表示の更新タイミングであると判定し（Ｓ１０２：ＹＥＳ）、まだ１５分が経過していない場合は、スクロール表示の更新タイミングでないと判定する（Ｓ１０２：ＮＯ）。
【００３２】
また、詳細については後述するが、スクロール表示の更新間隔を変更している場合、主制御部６０は、前回の更新タイミングから、変更後の更新間隔に対応する時間（例えば５分）が経過した場合に、スクロール表示の更新タイミングであると判定し（Ｓ１０２：ＹＥＳ）、そうでない場合は、スクロール表示の更新タイミングでないと判定する（Ｓ１０２：ＮＯ）。また、主制御部６０は、絵巻表示処理を開始した後、初めてＳ１０２に到達した場合は、更新タイミングであると判定してＳ１０３に進む。
【００３３】
Ｓ１０２の判定結果がＮＯの場合、主制御部６０は、絵巻モードが終了したか否かを判定する（Ｓ１０５）。例えば、ユーザーが操作ボタン６Ａ，６Ｂを操作して表示モードを絵巻モードからシンプルモードに変更した場合、主制御部６０は、絵巻モードが終了したと判定し（Ｓ１０５：ＹＥＳ）、絵巻表示処理を終える。一方、絵巻モードが終了していない場合（Ｓ１０５：ＮＯ）、主制御部６０は、Ｓ１０１に戻り、再び温度の計測を行う。したがって、絵巻モードが継続しており、かつスクロール表示の更新タイミングでない場合、主制御部６０は、Ｓ１０１→Ｓ１０２（ＮＯ）→Ｓ１０５（ＮＯ）→Ｓ１０１の処理を繰り返す。その結果、主制御部６０は、電子時計１の周囲の温度を周期的に計測し、温度を継続して監視することになる。
【００３４】
次に、Ｓ１０２の判定結果がＹＥＳの場合、主制御部６０は、温度の計測値を用いて絵巻画像１００のスクロール速度を決定する（Ｓ１０３）。なお、スクロール速度を決定する方法として、例えば、スクロール表示の更新間隔を所定時間（例えば１５分）に固定した上で、一回の更新でスクロールさせるコマ数（分割画像１５０の数）を温度の計測値から決定する第１の方法や、これとは逆に、一回の更新でスクロールさせるコマ数を所定値（例えば１）に固定した上で、スクロール表示の更新間隔を温度の計測値から決定する第２の方法がある。
【００３５】
第１の方法を採用した場合、主制御部６０は、温度の計測値をＴとしたとき、例えば、Ｔ≦１０℃の場合にコマ数を１に決定し、１０℃＜Ｔ≦２０℃の場合にコマ数を２に決定し、２０℃＜Ｔ≦３０℃の場合にコマ数を３に決定し、３０℃＜Ｔの場合にコマ数を４に決定することができる。また、第２の方法を採用した場合、主制御部６０は、例えば、Ｔ≦１０℃の場合に更新間隔を３０分に決定し、１０℃＜Ｔ≦２０℃の場合に更新間隔を１５分に決定し、２０℃＜Ｔ≦３０℃の場合に更新間隔を１０分に決定し、３０℃＜Ｔ≦３５℃の場合に更新間隔を５分に決定し、３５℃＜Ｔの場合に更新間隔を２分に決定することができる。
【００３６】
なお、一回の更新でスクロールされるコマ数や、スクロール表示の更新間隔は、例示したものに限らず、任意に設定可能である。また、スクロール速度を決定する際に用いる温度の計測値は、スクロール表示の更新タイミングが訪れる直前にＳ１０１で計測された１つの計測値であってもよいし、前回の更新タイミング以降にＳ１０１で計測された複数の計測値の平均値等であってもよい。また、図６の絵巻表示処理において、Ｓ１０１の処理をＳ１０２とＳ１０３の間で行うように変形し、ここで計測された温度の計測値を用いてもよい。
【００３７】
また、温度とスクロール速度（コマ数or更新間隔）との関係を示すスクロール速度制御テーブルをＲＯＭ６２に記憶しておき、主制御部６０は、このスクロール速度制御テーブルを参照して温度の計測値からスクロール速度を決定してもよいし、温度とスクロール速度との関係をプログラム中にＩＦ文で記述しておき、このＩＦ文の記述に従って温度の計測値からスクロール速度を決定してもよい。
【００３８】
また、絵巻画像１００のスクロール速度として、例えば、低速，中速，高速の３種類を用意し、主制御部６０は、温度の計測値の整数部分を３で割ったときの余りがゼロの場合はスクロール速度を低速に決定し、余りが１の場合はスクロール速度を中速に決定し、余りが２の場合はスクロール速度を高速に決定してもよい。この場合、温度の変化がそれほど大きくなくても絵巻画像１００のスクロール速度を頻繁に変更することができる。また、主制御部６０は、温度の計測値を計算式に代入して絵巻画像１００のスクロール速度を決定してもよい。
【００３９】
スクロール速度を決定した後、主制御部６０は、表示制御部７０に対してスクロール表示の更新を指示し（Ｓ１０４）、前述したＳ１０５に移行する。また、Ｓ１０４でスクロール表示の更新を指示する際、主制御部６０は、Ｓ１０３で決定したスクロール速度と、計時部６６の計時時刻とを表示制御部７０に通知する。
【００４０】
表示制御部７０は、主制御部６０からスクロール表示の更新が指示されると、主制御部６０から通知された計時時刻に基づいて第１レイヤーの画像（計時時刻を示す数字や記号の画像）を更新する。また、表示制御部７０は、主制御部６０から通知されたスクロール速度に基づいて、第２レイヤーの画像（絵巻画像１００）のうち表示領域８０Ａに表示する４個の分割画像１５０を決定する。この後、表示制御部７０は、第１レイヤーの画像と第２レイヤーの画像とを重ねて合わせて１画面分の表示画像を生成し、ＶＲＡＭ７４に書き込む。また、表示部８０は、表示制御部７０の制御の下、ＶＲＡＭ７４に書き込まれた１画面分の表示画像を表示領域８０Ａに表示する。
【００４１】
以上説明した絵巻表示処理によれば、スクロール速度を決定する方法として上述した第２の方法を採用した場合、例えば、電子時計１を装着したユーザーが室温１８℃の部屋の中にいる場合は、図７に示すように１５分毎に１コマの割合で絵巻画像１００がスクロール表示される。すなわち、図７に示すように、１１時３０分の時点で４個の分割画像１５０２１〜１５０２４を表示領域８０Ａに表示した場合、そこから１５分が経過して１１時４５分になると、表示領域８０Ａに４個の分割画像１５０２２〜１５０２５を表示し、さらにそこから１５分が経過して１２時００分になると、表示領域８０Ａに４個の分割画像１５０２３〜１５０２６を表示する。
【００４２】
同様に、スクロール速度を決定する方法として上述した第２の方法を採用し、電子時計１を装着したユーザーが室温３４℃の部屋の中にいる場合は、図８に示すように５分毎に１コマの割合で絵巻画像１００がスクロール表示される。すなわち、図８に示すように、１１時３０分の時点で４個の分割画像１５０２１〜１５０２４を表示した場合、１１時３５分になると４個の分割画像１５０２２〜１５０２５を表示し、１１時４０分になると４個の分割画像１５０２３〜１５０２６を表示する。
【００４３】
また、図９は、図７の変形例であり、電子時計１を装着したユーザーが１１時４５分を少し過ぎたときに、室温１８℃の部屋から外に出て、外の気温が３４℃であった場合である。この場合、１１時４５分の時点でスクロール表示を更新する際には、温度の計測値が１８℃であるので、絵巻表示処理のＳ１０３では、スクロール表示の更新間隔が１５分に決定される。したがって、本来であれば、次にスクロール表示が更新されるのは１２時００分になる。しかしながら、１１時４５分を少し過ぎた時点では既に温度が３４℃に変化しているので、この時点では３４℃に対応する更新間隔でスクロール表示を更新することが好ましい。
【００４４】
ここで、前述したように、絵巻モードが継続しており、かつスクロール表示の更新タイミングでない場合、主制御部６０は、Ｓ１０１→Ｓ１０２（ＮＯ）→Ｓ１０５（ＮＯ）→Ｓ１０１の処理を繰り返し、例えば１分毎等、電子時計１の周囲の温度を周期的に計測している。そこで、主制御部６０は、上述した第２の方法を採用している場合、Ｓ１０３でスクロール表示の更新間隔を決定した後、次の更新タイミングが訪れるまでの間に温度が大幅に変化したことを検知すると、Ｓ１０３で決定した更新間隔を放棄し、現在の温度の計測値に基づいて更新間隔を決定し直すようにしている。このため図９に示すように、１１時４５分の時点でスクロール表示を更新した後、１８℃に対応する更新間隔である１５分が経過することを待たずに、３４℃に対応する更新間隔である５分が経過した時点で（１１時５０分）、次のスクロール表示の更新が行われる。
【００４５】
以上説明したように本実施形態によれば、表示部８０（表示領域８０Ａ）には、計時部６６の計時時刻が表示されると共に、絵巻画像１００がスクロール表示される。また、制御部５０は、絵巻画像１００のスクロール表示を更新する場合に、温度センサー１０の計測値を用いて絵巻画像１００のスクロール速度を決定する。したがって、絵巻画像１００のスクロール表示を更新する都度、温度の計測値に応じて絵巻画像１００のスクロール速度を変化させることが可能になる。このように絵巻画像１００のスクロール速度を変化させることで、毎日、同じ時刻であっても、絵巻画像１００のうち表示領域８０Ａに表示される部分は、特定の一部に固定されることなく様々に変化する。また、スクロール表示の対象は絵巻画像１００であるので、表示領域８０Ａに表示される計時時刻の視認性が損なわれてしまうこともない。したがって、電子時計１を見るタイミングが幾つかの特定の時刻や時間帯に集中していても、計時時刻の視認性を損なうことなく、スクロール表示される絵巻画像１００のうち様々な部分をユーザーが見れるようにすることができる。よって、ユーザーをより飽きさせないようにすることができ、電子時計１の付加価値を高められる。
【００４６】
＜第２実施形態＞
本発明の第２実施形態について説明する。なお、第１実施形態と同じ構成要素については、第１実施形態の説明で使用した符号を流用し、説明を適宜省略する。
【００４７】
図１０は、第２実施形態に係る電子時計２の内部構成を示すブロック図である。
同図に示す電子時計２は、標準電波を受信して計時時刻を修正する機能を有する腕時計型の電波時計である。この電子時計２は、第１実施形態で説明した電子時計１（図２）に対し、受信部９０、アンテナ９２および時刻修正部６８が追加されている点で構成が相違する。受信部９０は、時刻情報を取得する取得部の一例であり、主制御部６００の制御の下、アンテナ９２を介して標準電波を受信する。また、受信部９０は、受信した標準電波を復調してデコードし、標準電波に含まれる時刻情報等を主制御部６００に出力する。
【００４８】
時刻修正部６８は、受信部９０が受信した標準電波に含まれている時刻情報に基づいて計時部６６の計時時刻を修正する。なお、第１実施形態でも説明したように、計時部６６は、主制御部６００や制御部５００の外部に設けられていてもよく、これは時刻修正部６８についても同様である。また、主制御部６００内のＲＡＭ６４には、時刻情報の受信の成否を示す受信成否フラグの値が格納される。この受信成否フラグの値は、例えば、時刻情報の受信に成功した場合に“１”がセットされ、時刻情報の受信に失敗した場合に“０”がセットされる。
【００４９】
主制御部６００は、例えば午前２時等、計時部６６の計時時刻が予め定められた時刻になると、標準電波を受信して計時部６６の計時時刻を修正する時刻修正処理を実行する（自動受信モード）。この時刻修正処理は、ユーザーが操作ボタン６Ａ，６Ｂを操作して強制受信モードに移行した場合にも実行される。このように時刻修正処理は、２４時間毎に自動的に実行される他、強制受信モードに移行する操作が行われたタイミングでも実行される。なお、自動受信モードにおいて時刻修正処理を実行する周期は、２４時間に限らず、例えば１時間や６時間等であってもよい。
【００５０】
この時刻修正処理において、主制御部６００は、標準電波に含まれる時刻情報の受信に成功した場合に、受信に成功した時刻情報に基づいて計時部６６の計時時刻を修正する。また、時刻修正処理において、主制御部６００は、時刻情報の受信に成功した場合、ＲＡＭ６４に格納されている受信成否フラグの値を“１”にセットし、時刻情報の受信に失敗した場合は、受信成否フラグの値を“０”にセットする。したがって、受信成否フラグの値は、時刻情報の受信に成功してから、次に時刻情報の受信に失敗するまでの間は“１”になり、時刻情報の失敗に成功してから、次に時刻情報の受信に成功するまでの間は“０”になる。
【００５１】
また、主制御部６００は、第１実施形態で説明した絵巻表示処理（図６）を実行するが、Ｓ１０３でスクロール速度を決定する場合に、ＲＡＭ６４に格納されている受信成否フラグの値を参照し、温度の計測値と時刻情報の受信の成否とに基づいて絵巻画像１００のスクロール速度を決定する。
【００５２】
一例を挙げると、第１実施形態で説明した第１の方法を採用した場合、主制御部６００は、受信成否フラグの値が“１”の場合、すなわち時刻情報の受信に成功している場合は、例えば、Ｔ≦１０℃の場合にコマ数を１に決定し、１０℃＜Ｔ≦２０℃の場合にコマ数を２に決定し、２０℃＜Ｔ≦３０℃の場合にコマ数を３に決定し、３０℃＜Ｔの場合にコマ数を４に決定する。一方、受信成否フラグの値が“０”の場合、すなわち時刻情報の受信に失敗している場合は、例えば、Ｔ≦１０℃の場合にコマ数を０に決定し（スクロール表示を停止させ）、１０℃＜Ｔ≦２０℃の場合にコマ数を１に決定し、２０℃＜Ｔ≦３０℃の場合にコマ数を２に決定し、３０℃＜Ｔの場合にコマ数を３に決定する。
【００５３】
また、第１実施形態で説明した第２の方法を採用した場合、主制御部６００は、時刻情報の受信に成功している場合は、例えば、Ｔ≦１０℃の場合に更新間隔を３０分に決定し、１０℃＜Ｔ≦２０℃の場合に更新間隔を１５分に決定し、２０℃＜Ｔ≦３０℃の場合に更新間隔を１０分に決定し、３０℃＜Ｔ≦３５℃の場合に更新間隔を５分に決定し、３５℃＜Ｔの場合に更新間隔を２分に決定する。一方、時刻情報の受信に失敗している場合は、例えば、Ｔ≦１０℃の場合に更新間隔を４５分に決定し、１０℃＜Ｔ≦２０℃の場合に更新間隔を３０分に決定し、２０℃＜Ｔ≦３０℃の場合に更新間隔を１５分に決定し、３０℃＜Ｔ≦３５℃の場合に更新間隔を１０分に決定し、３５℃＜Ｔの場合に更新間隔を５分に決定する。
【００５４】
なお、どちらの場合も、時刻情報の受信に失敗した場合は、時刻情報の受信に成功した場合に比べ、絵巻画像１００のスクロール速度を遅くしているが、これに限らず、時刻情報の受信に失敗した場合は、時刻情報の受信に成功した場合に比べ、絵巻画像１００のスクロール速度を速くしてもよい。
【００５５】
以上説明したように本実施形態によれば、制御部５００は、絵巻画像１００のスクロール表示を更新する場合に、温度センサー１０の計測値だけでなく時刻情報の受信の成否を用いて絵巻画像１００のスクロール速度を決定する。したがって、第１実施形態で説明したように温度の計測値だけを用いて絵巻画像１００のスクロール速度を決定する構成に比べ、絵巻画像１００のスクロール速度をよりランダムに変化させることができるので、電子時計２を見るタイミングが幾つかの特定の時刻や時間帯に集中していても、スクロール表示される絵巻画像１００のうち、より多くの異なる部分をユーザーが見れるようにすることができる。
【００５６】
＜変形例＞
以上に例示した各実施形態は多様に変形され得る。具体的な変形の態様を以下に例示する。なお、以下の例示から任意に選択された２以上の態様は、相互に矛盾しない範囲で適宜組み合わせることができる。
【００５７】
（１）第１実施形態において、電子時計１は、温度センサー１０の代わりに湿度センサーを備えてもよい。この場合、主制御部６０は、絵巻画像１００のスクロール表示を更新する場合に、温度の計測値の代わりに湿度の計測値を用いて絵巻画像１００のスクロール速度を決定する。同様に、電子時計１は、気圧センサー，水圧センサー，高度センサー，照度センサー，加速度センサーのいずれかを温度センサー１０の代わりに備えてもよい。以上の内容は、第２実施形態に対しても同様に適用することができる。
【００５８】
（２）第１実施形態において、電子時計１は、温度センサー１０の代わりにユーザーの生体情報を計測する計測部を備えてもよい。例えば、脈拍センサーを備えた場合、主制御部６０は、絵巻画像１００のスクロール表示を更新する場合に、温度の計測値の代わりに脈拍の計測値を用いて絵巻画像１００のスクロール速度を決定する。また、脈拍センサーの代わりに体温センサーを備えてもよい。以上の内容は、第２実施形態に対しても同様に適用することができる。
【００５９】
（３）第１実施形態において、電子時計１は、温度センサー１０の代わりに、電源部４０に備わる一次電池または二次電池の電池電圧を計測する計測部を備えてもよい。この場合、主制御部６０は、絵巻画像１００のスクロール表示を更新する場合に、温度の計測値の代わりに電池電圧の計測値を用いて絵巻画像１００のスクロール速度を決定する。以上の内容は、第２実施形態に対しても同様に適用することができる。
【００６０】
（４）第１実施形態において、電子時計１に照度センサーを追加し、主制御部６０は、絵巻画像１００のスクロール表示を更新する場合に、温度の計測値と照度の計測値の両方を用いて絵巻画像１００のスクロール速度を決定してもよい。この場合、第１実施形態で説明したように温度の計測値だけを用いて絵巻画像１００のスクロール速度を決定する構成に比べ、絵巻画像１００のスクロール速度をよりランダムに変化させることができるので、電子時計１を見るタイミングが幾つかの特定の時刻や時間帯に集中していても、スクロール表示される絵巻画像１００のうち、より多くの異なる部分をユーザーが見れるようにすることができる。このように電子時計１は、種類の異なる物理量を計測するため、２以上の計測部を備え、各々の計測部の計測値を用いて絵巻画像１００のスクロール速度を決定してもよい。以上の内容は、第２実施形態に対しても同様に適用することができる。
【００６１】
（５）第２実施形態において、電子時計２は、ＧＰＳ（Global Positioning System）衛星から時刻情報を含む衛星信号を受信して計時時刻を修正する機能を有する腕時計であってもよい。また、電子時計２は、受信部として、Bluetooth（登録商標）やＮＦＣ（Near Field Communication）等の近距離無線通信部を備え、パーソナルコンピューターやスマートフォンを介してネットワーク経由で時刻情報を受信してもよい。また、電子時計２は、通信ケーブルを介して時刻情報を受信してもよく、時刻情報を受信（取得）する形態は、無線に限らず有線であってもよい。
【００６２】
（６）絵巻画像１００の絵柄は、図３に示したものに限らず、例えば、街並みをイメージした画像，世界旅行をイメージした画像，様々な動物が乗っている列車の画像，モアレや幾何学模様の画像等であってもよい。また、横長ではなく縦長の絵巻画像を用意し、縦方向（Ｙ方向）に絵巻画像をスクロール表示してもよい。また、表示制御部７０は、表示画像を更新する際、全面黒色の表示画像や全面白色の表示画像を表示しない構成であってもよい。
【００６３】
（７）計時部６６で計時される時刻は、年，月，日，時，分，秒で構成される時刻に限らない。例えば、時，分，秒あるいは時，分のみで構成される時刻であってもよい。これは、表示部８０に表示される計時時刻についても同様である。また、数字や記号を用いて計時時刻を表示する代わりに、時針と分針を有するアナログ時計の画像を用いて計時時刻を表示してもよい。表示部８０は、白黒２値表示のＥＰＤパネルに限らず、カラー表示のＥＰＤパネルであってもよい。また、表示部８０は、ＥＰＤパネルに限らず、液晶表示パネルや有機ＥＬ（Electro Luminescence）パネル等であってもよい。電子時計１，２は、腕時計に限らず、置時計，掛け時計，懐中時計等であってもよい。
【符号の説明】
【００６４】
１，２…電子時計、５…外装ケース、５Ａ…開口部、６Ａ，６Ｂ…操作ボタン、７…ベルト取付部、８…ベルト、１０…温度センサー、２０…発振回路、３０…分周回路、４０…電源部、５０，５００…制御部、６０，６００…主制御部、６２…ＲＯＭ、６４…ＲＡＭ、６６…計時部、６８…時刻修正部、７０…表示制御部、７２…ＲＯＭ、７４…ＶＲＡＭ、８０…表示部、８０Ａ…表示領域、９０…受信部、９２…アンテナ、１００…絵巻画像、１５０１〜１５０８，１５０２１〜１５０２６…分割画像。
【図１】
2017075817.tif 000003
【図２】
2017075817.tif 000004
【図４】
2017075817.tif 000005
【図６】
2017075817.tif 000006
【図１０】
2017075817.tif 000007
【図３】
2017075817.tif 000008
【図５】
2017075817.tif 000009
【図７】
2017075817.tif 000010
【図８】
2017075817.tif 000011
【図９】
2017075817.tif 000012